(57)【要約】【課題】電気自動車への充電を行う機能を有する充電装置１で、電気自動車への充電時間を有効利用させる。【解決手段】充電装置１は、電気自動車のユーザによる商品の購入に関する販売者側の処理を実行する装置である販売者側装置（店舗２の装置）と通信可能に接続されている。充電装置１では、充電処理実行手段１４が電気自動車への充電に関する処理を実行し、商品購入処理実行手段１４が、電気自動車のユーザによる商品の購入に関する充電装置側の処理を実行する機能を有し、充電処理実行手段により電気自動車への充電が開始された後であって当該充電が終了する前において、電気自動車のユーザによる商品の購入に関する充電装置側の一連の処理の一部又は全部を実行する。【選択図】  図１
2012050201.tif 000002
【特許請求の範囲】
【請求項１】
電気自動車への充電を行う機能を有する充電装置において、
当該充電装置は、前記電気自動車のユーザによる商品の購入に関する販売者側の処理を実行する装置である販売者側装置と通信可能に接続されており、
当該充電装置は、前記電気自動車への充電に関する処理を実行する充電処理実行手段と、
前記電気自動車のユーザによる商品の購入に関する充電装置側の処理を実行する機能を有し、前記充電処理実行手段により前記電気自動車への充電が開始された後であって当該充電が終了する前において、前記電気自動車のユーザによる商品の購入に関する充電装置側の一連の処理の一部又は全部を実行する商品購入処理実行手段と、を備えた、
ことを特徴とする充電装置。
【発明の詳細な説明】
【技術分野】
【０００１】
本発明は、電気自動車（ＥＶ：Ｅｌｅｃｔｒｉｃ  Ｖｅｈｉｃｌｅ）への充電を行う充電装置に関し、特に、ＥＶへの充電時間を有効利用させるために、ショッピング機能を有した充電装置に関する。
【背景技術】
【０００２】
近年、ＥＶの実用化のために充電ステーション（充電装置の一例）の需要が高まってきている。近い将来、各地に充電ステーションが設置されることが予想される。充電ステーションによるＥＶへの充電時間は、ＥＶ及び充電ステーションの性能に依存する部分があるものの、最短で１５分程度かかると見られており、乗用車のガソリン補給と比べると時間がかかってしまう。
【先行技術文献】
【特許文献】
【０００３】
【特許文献１】特開平１０−３０２１４７号公報
【発明の概要】
【発明が解決しようとする課題】
【０００４】
上述のように、充電ステーションによるＥＶへの充電時間がかかってしまうといった事情が考えられる。
本発明は、このような従来の事情に鑑み為されたもので、ＥＶへの充電時間を有効利用させることができる充電装置を提供することを目的とする。
【課題を解決するための手段】
【０００５】
上記目的を達成するため、本発明では、電気自動車（ＥＶ）への充電を行う機能を有する充電装置において、次のような構成とした。
すなわち、当該充電装置は、前記電気自動車のユーザによる商品の購入に関する販売者側の処理を実行する装置である販売者側装置と通信可能に接続されている。
当該充電装置では、充電処理実行手段が、前記電気自動車への充電に関する処理を実行する。また、商品購入処理実行手段が、前記電気自動車のユーザによる商品の購入に関する充電装置側の処理を実行する機能を有し、そして、前記充電処理実行手段により前記電気自動車への充電が開始された後であって当該充電が終了（完了）する前において、前記電気自動車のユーザによる商品の購入に関する充電装置側の一連の処理の一部又は全部を実行する。
【発明の効果】
【０００６】
以上説明したように、本発明に係る充電装置によると、電気自動車への充電中に電気自動車のユーザによるショッピングが可能であり、電気自動車への充電時間を有効利用させることができる。
【図面の簡単な説明】
【０００７】
【図１】本発明の一実施例に係る充電ステーションシステムの構成例を示す図である。
【図２】充電ステーションシステムにおけるＥＶへの充電機能及びショッピング機能により行われる処理の手順の一例を示す図である。
【発明を実施するための形態】
【０００８】
本発明に係る実施例を図面を参照して説明する。
図１には、本発明の一実施例に係る充電ステーションシステムの構成例を示してある。
本例の充電ステーションシステムは、充電ステーション１（充電装置の一例）と、店舗２を有しており、ＥＶへの充電機能と、ショッピング機能を有している。
充電ステーション１は、一次側電源１１、電力変換部１２、電力供給部１３、制御装置１４、ユーザインタフェース１５、ネットワーク接続部１６を備えている。
店舗２は、ネットワーク接続部２１を備えている。
【０００９】
各部について説明する。
一次側電源１１は、充電ステーション１に供給される電源である。
電力変換部１２は、一次側電源１１をＥＶへ供給できる電力へ変換する機能部である。
電力供給部１３は、電力変換部１２で変換された電力をＥＶへ供給する機能部である。
【００１０】
制御装置１４は、充電ステーション１をコントロール（制御）する機能部であり、ＣＰＵ（Ｃｅｎｔｒａｌ  Ｐｒｏｃｅｓｓｉｎｇ  Ｕｎｉｔ）などの演算器で構成され、各種の処理を制御する。例えば、制御装置１４により行われる信号処理の内容としては、電力供給部１３からＥＶへ供給する電力のオン／オフ（ＯＮ／ＯＦＦ）を制御する処理や、ユーザインタフェース１５との信号を制御する処理や、ネットワーク接続部１６との信号を制御する処理、などがある。
【００１１】
ユーザインタフェース１５は、ユーザが充電ステーション１を操作するためのユーザインタフェースであり、代表的な装置としては、タッチパネルなどがある。本例では、ユーザインタフェースの種類としては、任意のものが用いられてもよい。
【００１２】
充電ステーション１のネットワーク接続部１６は、充電ステーション１が他の装置と接続するための機能部である。接続方法としては、イーサネット（登録商標）ケーブルによるインターネット接続、無線ＬＡＮ（Ｌｏｃａｌ  Ａｒｅａ  Ｎｅｔｗｏｒｋ）によるインターネット接続、携帯端末の機能を用いた携帯ネットワークへの接続などがある。本例では、ネットワーク接続の方法としては、任意のものが用いられてもよい。
【００１３】
店舗２のネットワーク接続部２１は、充電ステーション１のネットワーク接続部１６と接続することが可能な機能部である。本例では、ネットワーク接続の方法としては、任意のものが用いられてもよい。
また、本例では、店舗２に設置された装置（販売者側装置）に、ネットワーク接続部２１や、店舗２における各種の処理をコントロール（制御）する機能部などが備えられており、このコントロールに係る機能部は、例えば、ＣＰＵなどの演算器で構成される。
なお、店舗２における各種の処理は、例えば、装置により自動的に行われてもよく、或いは、全部又は一部が人（店舗２の店員など）による操作に応じて行われてもよい。
【００１４】
図２には、本例の充電ステーションシステムにおけるＥＶへの充電機能及びショッピング機能により行われる処理の手順の一例を示してある。
本例では、ＥＶのユーザ３１、充電ステーション１、店舗２（本例では、販売者側装置）に関する処理を示す。
ユーザ３１と充電ステーション１との間の信号制御は、ユーザインタフェース１５を介して行われる。充電ステーション１と店舗２との間の信号制御は、互いのネットワーク接続部１６、２１によって確立される。
【００１５】
店舗２は、充電ステーション１へ、店舗２側が販売する商品の情報を充電ステーション１に予め登録しておくための信号（商品情報提供信号）を送信する（処理Ｔ１）。充電ステーション１では、受信した商品の情報を制御装置１４などに設けられたメモリに登録（記憶）する。
ここで、充電ステーション１に登録されている商品情報のアップデートのタイミングとしては、ユーザ３１が充電ステーション１を操作していない時（例えば、営業開始前）が好ましい。
なお、ユーザ３１が充電ステーション１を操作中であるときに、登録されている商品情報をアップデートする場合には、ユーザ３１が選択した商品が必ず提供されるように、店舗２側で配慮する必要があり、例えば、在庫が少ない商品についてはユーザ３１に対して注意を喚起するための処理（例えば、所定の情報の画面表示処理や、所定の音の出力処理）を行うこと、などが考えられる。
【００１６】
ユーザ３１が充電ステーション１を使用してＥＶの充電を開始する時には、充電ステーション１に対して、充電開始のためのセットアップを要求する信号（ＥＶ充電要求信号）が入力される（処理Ｔ２）。なお、充電の開始は、例えば、ユーザ３１による所定の操作に応じて指示されてもよく、或いは、装置により自動的に充電の開始が決定されてもよい。
ここで、セットアップの内容としては、充電時間の設定や、ユーザ３１の認証などが考えられるが、本例では、充電ステーション１の基本的な設定の要求をＥＶ充電要求信号で行う。
【００１７】
ＥＶ充電要求信号に応じて、充電ステーション１は、ユーザ３１に対して、充電開始可能になったことを通知する信号（ＥＶ充電応答信号）を送る（処理Ｔ３）。この通知は、例えば、所定の情報の画面表示処理や、所定の音の出力処理などにより行われる。
そして、充電ステーション１は、ＥＶへの充電の処理を開始する（処理Ｔ４）。
【００１８】
本例では、ＥＶへの充電中に、ユーザ３１はショッピングを行うことができる。
ユーザ３１は、充電ステーション１へ、充電ステーション１経由でショッピングを開始するための信号（ショッピング要求信号）を入力する（処理Ｔ５）。
ショッピング要求信号に応じて、充電ステーション１は、ユーザ３１に対して取引可能な商品の情報を提供する信号（商品情報提供信号）を送る（処理Ｔ６）。この商品情報の提供は、例えば、所定の情報の画面表示処理や、所定の音の出力処理などにより行われる。ここで、取引可能な商品の情報としては、商品情報提供信号によって充電ステーション１に予め蓄えられている（登録されている）情報が用いられる。
【００１９】
ユーザ３１が希望する商品を選択すると、充電ステーション１へ、ユーザ３１が選んだ商品を充電ステーション１へ伝える信号（商品選択信号）が入力される（処理Ｔ７）。
商品選択信号に応じて、充電ステーション１は、店舗２へ、ユーザ３１が選んだ商品を充電ステーション１経由で店舗２へ伝えることで、店舗２側が決済完了（処理Ｔ１４）までの時間に商品を確保することができるようにするための信号（商品予約要求信号）を送信する（処理Ｔ８）。
【００２０】
ここで、ユーザ３１は、他にも商品を購入する（追加購入する）かどうかを選択することができる（処理Ｔ９）。
そして、ユーザ３１が追加購入することを選択した場合には、商品選択処理（処理Ｔ７）へ移行する一方、ユーザ３１が追加購入しないことを選択した場合には、決済可否要求処理（処理Ｔ１０）へ移行する。
【００２１】
ユーザ３１が追加購入しないことを選択した場合には、ユーザ３１は商品の選択を終了し、充電ステーション１に対して、決済を要求する信号（決済可否要求信号）が入力される（処理Ｔ１０）。
なお、ユーザ３１が追加購入するか否かは、それぞれ、例えば、ユーザ３１が予め設定された操作を行ったことに応じて決定され、追加購入しないことが決定された場合には決済可否要求信号が発生させられる。
【００２２】
ユーザ３１からの決済可否要求信号に応じて、充電ステーション１は、店舗２に対して、ユーザ３１が決済要求をしていることを伝える信号（決済可否要求信号）を送信する（処理Ｔ１１）。
充電ステーション１からの決済可否要求信号に応じて、店舗２は、充電ステーション１に対して、決済の準備を完了したことを通知する信号（決済可否応答信号）を送信する（処理Ｔ１２）。
店舗２からの決済可否応答信号に応じて、充電ステーション１は、ユーザ３１に対して、店舗２が決済の準備を完了したことを通知する信号（決済可否応答信号）を送る（処理Ｔ１３）。この通知は、例えば、所定の情報の画面表示処理や、所定の音の出力処理などにより行われる。
【００２３】
充電ステーション１からの決済可否応答信号に応じて、ユーザ３１は、料金の支払いをする処理（決済）を行う（処理Ｔ１４）。
本例では、料金の種類としては、ＥＶへの充電の料金と、ショッピング（商品購入）の料金の２種類が考えられる。本例では、ＥＶ充電料金とショッピング料金を併せて決済することを可能としてある。
【００２４】
ここで、決済を処理する前に、充電完了（処理Ｔ１５）及び充電完了通知（処理Ｔ１６）の処理が完了している場合や、若しくは、ＥＶ充電料金が予め定額である場合（例えば、１０００円分だけ充電するように充電ステーション１を設定している場合）でないと、ＥＶ充電料金とショッピング料金を併せて決済することができない。
このため、本例では、ＥＶ充電料金が確定している場合（例えば、充電完了後、若しくは、充電完了後でなくても定額である場合）に、ＥＶ充電料金とショッピング料金を併せて決済することを可能としてある。なお、ＥＶ充電料金とショッピング料金を別々に決済することが可能な構成や、これらの料金を併せて決済するか又は別々に決済するかをユーザ３１などにより選択することが可能な構成が用いられてもよい。
【００２５】
決済の方法としては、任意の方法が用いられてもよく、例えば、現金による決済、電子マネー（例えば、電子マネーを扱うカードや携帯端末など）による決済、クレジット（例えば、クレジットカードなど）による決済、商品ポイント（例えば、ポイントカードなど）による決済など、種々な方法が用いられてもよい。
【００２６】
なお、決済の処理では、一例として、ＥＶ充電料金については充電ステーション１で決定され、ショッピング料金については店舗２で決定されて充電ステーション１に通知され、充電ステーション１がユーザ３１に対してＥＶ充電料金及びショッピング料金の個別の金額や合計の金額を提示し、充電ステーション１がユーザ３１から現金や電子マネーの受け取りなどによる支払いの処理を行い、ＥＶ充電料金及びその支払いに関する情報は充電ステーション１で処理（例えば、必要に応じて記憶など）され、ショッピング料金及びその支払いに関する情報は充電ステーション１から店舗２へ送信されて店舗２で処理（例えば、必要に応じて記憶など）される。
また、電子マネーやクレジットや商品ポイント等を使用した支払いの処理については、例えば、充電ステーション１と店舗２との間で必要な情報を通信して、ショッピング料金の支払いの処理（本例では、現金等をユーザ３１から受けることは充電ステーション１により行われるため、それは除く）の一部又は全部が店舗２側で行われてもよい。また、ショッピング料金が単独で支払われるような場合には、例えば、充電ステーション１と店舗２との間で必要な情報を通信して、ショッピング料金の支払いの処理（本例では、現金等をユーザ３１から受けることは充電ステーション１により行われるため、それは除く）の一部又は全部が店舗２側で行われてもよい。
【００２７】
ＥＶへの充電が完了すると、充電ステーション１は充電を終了する処理（充電完了処理）を行う（処理Ｔ１５）。なお、充電完了のタイミングとしては、ショッピング中に発生することも考えられるが、本例では、充電ステーション１が如何なる処理をしていても充電完了（処理Ｔ１５）が並行して正常に処理されるように構成されている。
充電ステーション１は、充電完了の処理後にユーザ３１へ充電完了を伝える信号（充電完了通知信号）を送る（処理Ｔ１６）。この通知は、例えば、所定の情報の画面表示処理や、所定の音の出力処理などにより行われる。
【００２８】
なお、本例では、決済を処理する前に、充電完了（処理Ｔ１５）及び充電完了通知（処理Ｔ１６）の処理が完了していることが必要である場合には、これらの処理（処理Ｔ１５、Ｔ１６）の後に、決済の処理（処理Ｔ１４）が行われる。
【００２９】
店舗２は、決済の処理が完了した後に、ユーザ３１の購入商品を準備する処理（商品準備処理）を行う（処理Ｔ１７）。
ここで、例えば、店舗２側が決済完了以前には商品確保をしない方針である場合には、商品予約要求処理（処理Ｔ８）を無くして、その代わりに、充電ステーション１から店舗２への決済可否要求信号（処理Ｔ１１）にユーザ３１が指定（選択）した商品の情報を加える。
【００３０】
上記した商品選択処理（処理Ｔ７）に関して、ユーザ３１が購入する商品を変更する場合には、追加購入処理（処理Ｔ９）と同じタイミングで商品を変更することができ、この場合、ユーザ３１は商品選択処理（処理Ｔ７）のところで変更する商品の情報を充電ステーション１に送り、充電ステーション１は商品予約要求処理（処理Ｔ８）のところで変更する商品の情報を店舗２へ送信する。店舗２は、受信した情報に基づいて、購入する商品の変更処理を行う。
【００３１】
上記した決済可否の処理（処理Ｔ１０〜Ｔ１３）に関して、決済が不可である場合には、その旨が、店舗２からの決済可否応答信号（処理Ｔ１２）及び充電ステーション１からの決済可否応答信号（処理Ｔ１３）でユーザ３１に通知されるか、若しくは、決済の処理（処理Ｔ１４）でユーザ３１に通知され、この場合、ユーザ３１は、追加購入の処理（処理Ｔ９）へ戻って商品を変更すること、若しくは、ショッピング（商品の購入）の取り消しをすることができるように構成されている。
また、ユーザ３１がショッピング（商品の購入）を取り消す場合には、本例では、ショッピング要求信号（処理Ｔ５）が発生した後であって決済完了（処理１４）までの間、如何なる場合でも取り消しの実行が可能な構成となっている。商品の取り消しは、例えば、ユーザ３１による所定の操作に応じて行われる。
【００３２】
以上のように、本例の充電ステーション１のシステムでは、ユーザ３１は、ＥＶの充電時に、通信ネットワークを用いてショッピングを行うことが可能である。これを実現するために、本例の充電ステーション１の構成及び仕様としては、ＥＶを充電する機能や、通信ネットワークに接続する機能や、現金若しくは電子マネーなどによる決済が可能な機能を備えている。
【００３３】
従って、本例の充電ステーション１のシステムでは、ユーザ３１は、充電ステーション１でＥＶを充電している間の時間を利用して、充電ステーション１にネットワーク接続された店舗２より商品を購入すること（ここで、「商品を購入すること」とは、本例では、商品情報から商品を選択するときから決済までの流れを指している）ができ、充電ステーション１でショッピングをすることで待ち時間を有効に利用することができる。
また、本例では、ＥＶ充電料金とショッピング料金の支払いに関して、ユーザ３１は充電ステーション１でショッピング料金の支払いをすることができ、支払いの効率化が図られる。
【００３４】
なお、本例のシステムでは、充電ステーション１により充電装置の一例が構成されており、店舗２の装置により商品の購入に関する販売者側の処理を実行する販売者側装置の一例が構成されており、これらの装置がネットワークを介して接続されている。
また、本例の充電ステーション１では、制御装置１４が各部（例えば、一次側電源１１、電力変換部１２、電力供給部１３、ユーザインタフェース１５）を用いて充電に関する処理を実行する機能により充電処理実行手段が構成されており、制御部１４が各部（例えば、ユーザインタフェース１５、ネットワーク接続部１６）を用いて店舗２と通信して商品の購入に関する充電装置側の処理を実行する機能により商品購入処理実行手段が構成されている。
【００３５】
（以下、構成例）
一構成例として、電気自動車（ＥＶ）への充電を行う機能を有する充電装置において、次のような構成とした。
すなわち、当該充電装置は、前記電気自動車のユーザによる商品の購入に関する販売者側の処理を実行する装置である販売者側装置と通信可能に接続されている。
当該充電装置では、充電処理実行手段が、前記電気自動車への充電に関する処理を実行する。また、商品購入処理実行手段が、前記電気自動車のユーザによる商品の購入に関する充電装置側の処理を実行する機能を有し、そして、前記充電処理実行手段により前記電気自動車への充電が開始された後であって当該充電が終了する前において、（例えば、必要に応じて、前記販売者側装置との間で通信して、）前記電気自動車のユーザによる商品の購入に関する充電装置側の一連の処理の一部又は全部を実行する。
従って、電気自動車への充電中に電気自動車のユーザによりショッピング（商品の購入）が可能であり、電気自動車への充電時間を有効利用させることができる。
【００３６】
ここで、充電装置は、例えば、電気自動車以外のものへの充電を行う機能を有してもよい。
また、電気自動車のユーザとしては、通常、当該電気自動車の運転者や同乗者が考えられる。
また、充電装置や販売者側装置としては、それぞれ、種々な構成のものが用いられてもよく、例えば、コンピュータを用いて構成することができる。
また、充電装置と販売者側装置とを通信可能に接続する方法としては、種々な方法が用いられてもよく、例えば、有線や無線のネットワークなどを用いることができる。
【００３７】
また、電気自動車への充電に関する処理としては、種々な処理が用いられてもよい。
また、購入対象となる商品としては、種々なものが用いられてもよい。
また、商品の購入に関する販売者側の処理や、商品の購入に関する充電装置側の処理としては、それぞれ種々な処理が用いられてもよく、これら両方の処理を合わせて商品の購入に関する全体の処理が実現される。
【００３８】
一態様例として、前記電気自動車への充電に関する処理は、充電の要求を受け付ける（又は、充電の要求を自動的に検出する）処理と、充電を開始する処理と、充電を終了する処理と、充電に係る料金の値を取得（例えば、受信、或いは、決定など）する処理と、充電に係る料金の支払いを前記電気自動車のユーザから受け付ける処理を含む。
一態様例として、前記電気自動車のユーザによる商品の購入に関する充電装置側の一連の処理は、商品の購入の要求を前記ユーザから受け付ける（又は、商品の購入の要求を自動的に検出する）処理と、購入する商品を特定する情報を前記ユーザから受け付ける処理と、商品の購入に係る料金の値を取得（例えば、受信、或いは、決定など）する処理と、商品の購入に係る料金の支払いを前記電気自動車のユーザから受け付ける処理を含む。
なお、料金の支払いとしては、種々な方法で行われてもよく、例えば、現金、電子マネー、クレジット、商品ポイントなどが用いられてもよい。
【００３９】
一構成例として、前記充電処理実行手段及び前記商品購入処理実行手段は、前記電気自動車への充電に係る料金と前記電気自動車のユーザによる商品の購入に係る料金について、合計した料金の値を取得（例えば、受信、或いは、決定など）し、当該合計した料金の支払いを前記電気自動車のユーザから受け付ける処理を実行する。
従って、前記電気自動車への充電に係る料金の支払いを受け付ける処理の機能と、前記電気自動車のユーザによる商品の購入に係る料金の支払いを受け付ける処理の機能が共通化されており、これら両方の料金をまとめて支払うことができるため、ユーザの利便性を高めることができる。
【００４０】
一態様例として、前記充電処理実行手段は、前記電気自動車への充電が終了する前に前記電気自動車への充電に係る料金の値を取得（例えば、受信、或いは、決定など）する処理を実行し、そして、前記商品購入処理実行手段は、前記充電処理実行手段により前記電気自動車への充電が開始された後であって当該充電が終了する前において、前記電気自動車のユーザによる商品の購入に関する充電装置側の一連の処理の全部を実行する。
従って、電気自動車への充電が終了する前に当該電気自動車への充電に係る料金の値が把握される場合には、電気自動車への充電が終了する前に、電気自動車への充電に係る料金と（例えば、購入する商品が確定していれば）商品の購入に係る料金を決済することが可能である。
【００４１】
ここで、電気自動車への充電が終了する前に当該電気自動車への充電に係る料金の値が把握される場合としては、例えば、定額の料金である場合や、或いは、充電の開始の前にユーザが金額（料金の値）を指定する場合などがある。
【００４２】
他の一態様例として、前記充電処理実行手段は、前記電気自動車への充電が終了した後に前記電気自動車への充電に係る料金の値を取得（例えば、受信、或いは、決定など）する処理を実行し、そして、前記商品購入処理実行手段は、前記充電処理実行手段により前記電気自動車への充電が開始された後であって当該充電が終了する前において、前記電気自動車のユーザによる商品の購入に関する充電装置側の一連の処理のうちの少なくとも料金の支払いを受け付ける処理を除く一部を実行し、当該充電が終了した後に、料金の支払いを受け付ける処理を含む残りの処理を実行する。
従って、電気自動車への充電が終了した後に当該電気自動車への充電に係る料金の値が把握される場合には、少なくとも電気自動車への充電に係る料金の支払いについては電気自動車への充電が終了した後となり、また、電気自動車への充電に係る料金と商品の購入に係る料金をまとめて決済するときには、電気自動車への充電が終了した後となる。
【００４３】
ここで、電気自動車への充電が終了した後に当該電気自動車への充電に係る料金の値が把握される場合としては、例えば、充電の量に応じて料金の値が決められる場合や、或いは、充電の時間に応じて料金の値が決められる場合などがある。
（以上、構成例）
【００４４】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００４５】
１・・充電ステーション、  ２・・店舗、  １１・・一次側電源、  １２・・電力変換部、  １３・・電力供給部、  １４・・制御装置、  １５・・ユーザインタフェース、  １６、２１・・ネットワーク接続部、  ３１・・ユーザ、
【図１】
2012050201.tif 000003
【図２】
2012050201.tif 000004